(57)【特許請求の範囲】
【請求項１】
前面に遊技球が打ち込まれる遊技領域を有する遊技盤を透明部材により形成すると共に、前記遊技領域に、遊技球が流下する過程において通過可能な通過球検出センサを配置した弾球遊技機において、
前記遊技盤の前記通過球検出センサが取り付けられる領域に前記通過球検出センサに接続された電線を前記遊技盤の後側に導出させるための遊技盤通孔を設けると共に、前記遊技盤の少なくとも前記領域を含む裏面に、前記遊技領域を裏側から装飾する不透明または半透明の装飾部材を配置し、前記装飾部材は、前記電線を自体の後方へ挿通可能とする後方へ延出する筒状の装飾部材通孔を有し、前記装飾部材の後方に、電気基板が取り付けられるセット部材を配置し、前記セット部材は、前記装飾部材通孔に対向し、かつ前記装飾部材通孔を挿通した前記電線を後方へ挿通可能とするセット部材通孔を有し、前記電線は、前記遊技盤通孔、前記装飾部材通孔、前記セット部材通孔を挿通して前記セット部材の後側に導出されて前記電気基板に電気的に接続されることを特徴とする弾球遊技機。
【請求項２】
前記装飾部材の後方かつ前記セット部材の前方に、前記装飾部材を通して前記遊技領域を電飾可能な光源を実装した光源基板を配置し、前記光源基板は、前記装飾部材通孔に対向し、かつ前記装飾部材通孔を挿通した前記通過球検出センサの前記電線を後方へ挿通可能とする基板通孔を有し、当該基板通孔を、後側から遊嵌可能な筒状部を設けたセット部材に遊嵌することを特徴とする請求項１記載の弾球遊技機。
【発明の詳細な説明】
【技術分野】
【０００１】
本発明は、遊技球が打ち込まれる遊技領域を有する遊技盤を透明部材により形成し、遊技領域に、遊技球が流下する過程において通過可能な通過球検出センサを配置した弾球遊技機に関する。
【背景技術】
【０００２】
弾球遊技機（パチンコ機）において、遊技球が打ち込まれる遊技領域を有する遊技盤を透明部材により形成し、遊技領域には遊技球が流下する過程において通過可能な通過球検出センサ（特許文献１においては通過口１１）が配置される。通過球検出センサに電気的に接続された電線は、遊技盤の裏側へ導出され、遊技盤の裏側に配置される電気基板に電気的に接続される。そして、遊技領域に打ち込まれた遊技球が通過球検出センサを通過すると、このときの通過信号に基づいて、遊技盤の裏側に配置された制御部が大当たりや小当たりチャンスの権利を発生させる等の抽選を実行する（例えば、特許文献１参照）。
【０００３】
【特許文献１】特開２００７−３１９６６３号公報
【発明の開示】
【発明が解決しようとする課題】
【０００４】
上述のような弾球遊技機においては、遊技盤が透明部材により形成されるため、通過球検出センサの電線を遊技盤の裏面に沿って配線すると、電線が遊技盤を透して露呈し、遊技領域の見栄えが悪くなる問題を有する。
【０００５】
本発明は、上述のような課題に鑑み、通過球検出センサの電線が透明部材により形成される遊技盤を透して露呈することがないようにして、遊技領域の見栄え向上を可能にした弾球遊技機を提供することを目的とする。
【課題を解決するための手段】
【０００６】
上記課題を解決するため、本発明にかかる弾球遊技機においては、前面に遊技球が打ち込まれる遊技領域を有する遊技盤を透明部材により形成すると共に、前記遊技領域に、遊技球が流下する過程において通過可能な通過球検出センサを配置した弾球遊技機において、前記遊技盤の前記通過球検出センサが取り付けられる領域に前記通過球検出センサに接続された電線を前記遊技盤の後側に導出させるための遊技盤通孔を設けると共に、前記遊技盤の少なくとも前記領域を含む裏面に、前記遊技領域を裏側から装飾する不透明または半透明の装飾部材を配置し、前記装飾部材は、前記電線を自体の後方へ挿通可能とする後方へ延出する筒状の装飾部材通孔を有し、前記装飾部材の後方に、電気基板が取り付けられるセット部材を配置し、前記セット部材は、前記装飾部材通孔に対向し、かつ前記装飾部材通孔を挿通した前記電線を後方へ挿通可能とするセット部材通孔を有し、前記電線は、前記遊技盤通孔、前記装飾部材通孔、前記セット部材通孔を挿通して前記セット部材の後側に導出されて前記電気基板に電気的に接続される。この構成により、通過球検出センサの電線を、装飾部材通孔を挿通して装飾部材の後側に導出することができる。装飾部材の後側に導出された電線は、遊技盤の裏側に取り付けた装飾部材により隠蔽されて、遊技盤を透して露呈することがない。よって、通過球検出センサの電線を見栄え良く配線することができ、遊技領域の見栄え向上を図ることができる。さらに、通過球検出センサの電線を、装飾部材通孔及びセット部材通孔を挿通してセット部材の後側に導出することができる。セット部材の後側に導出された電線は、装飾部材により隠蔽されて遊技盤を透して露呈することがない。よって、通過球検出センサの電線を見栄え良く配線することができ、遊技領域の見栄え向上を図ることができる。
【０００７】
さらに、本発明にかかる弾球遊技機においては、前記装飾部材の後方かつ前記セット部材の前方に、前記装飾部材を通して前記遊技領域を電飾可能な光源を実装した光源基板を配置し、前記光源基板は、前記装飾部材通孔に対向し、かつ前記装飾部材通孔を挿通した前記通過球検出センサの前記電線を後方へ挿通可能とする基板通孔を有し、当該基板通孔を、後側から遊嵌可能な筒状部を設けたセット部材に遊嵌する。この構成により、通過球検出センサの周辺を、光源基板の光源によって、遊技領域を裏側から電飾して、遊技の演出を盛り上げることができると共に、通過球検出センサの電線を、装飾部材通孔及び基板通孔を挿通して光源基板の後側に導出することができる。光源基板の後側に導出された電線は、装飾部材により明視し難いように隠蔽される光源基板により隠蔽されて、遊技盤を透して露呈することがない。よって、通過球検出センサの電線を見栄え良く配線することができ、遊技領域の見栄え向上を図ることができる。
【発明の効果】
【００１０】
本発明に係わる弾球遊技機は、通過球検出センサの電線が透明な遊技盤の裏側に取り付けた装飾部材により隠蔽されるため、遊技領域の見栄え向上を図ることができる。
【発明を実施するための最良の形態】
【００１１】
以下、本発明の一実施形態を、図面に基づいて説明する。図１は、本発明の一実施形態を適用した弾球遊技機の正面図、図２は、遊技盤ユニットの正面図、図３は、遊技盤ユニットの分解斜視図、図４は、図２におけるIV−IV線拡大断面図である。なお、以下の説明においては、図１、２における図面手前を「前方または表面」とし、図面奥を「後方または裏面」とし、左方を「左方」とし、右方を「右方」とする。
【００１２】
弾球遊技機１は、遊技施設に据え付けられる外枠２と、外枠２に支持される遊技盤ユニット３と、遊技盤ユニット３の後方に配置され、かつ遊技に係わる図柄、数字等で構成される演出情報２０を表示可能な表示装置（図示略）と、中央部に円形のガラス板が嵌め込まれ、外枠２の左部に上下方向のヒンジ軸により開閉可能に支持された前扉４とを備え、前面右下に設けられたハンドル５を時計方向へ回転操作することにより、前扉４の下方に設けられた球貯留皿６に貯留されている遊技球が図示略の発射装置から後述の遊技盤７の前面に形成された遊技領域７１に打ち込まれることにより所定の遊技が行われる。
【００１３】
図３に示すように、遊技盤ユニット３は、透明合成樹脂板等の透明部材により形成される遊技盤７と、表示装置の前面に配置され、かつ遊技盤７の裏側に固定される合成樹脂製のセット部材８と、遊技状況に応じて点灯、点滅する複数の光源９１を実装した光源基板９と、遊技盤７の前面を裏側から装飾する不透明または半透明の合成樹脂製の装飾部材１８とを含む。
【００１４】
遊技盤７は、前面に帯状のガイドレール１０、１１によって包囲される円形の遊技領域７１を有している。遊技領域７１には、主な部品として、遊技領域７１に打ち込まれた遊技球の流下方向を変化させる多数の遊技釘１２、表示装置に表示される演出情報２０をセット部材８を通して透視可能とする演出情報透視窓７２、演出情報透視窓７２の周囲を装飾する不透明な合成樹脂製の装飾枠１３、遊技領域７１に打ち込まれた遊技球が入賞可能な図柄始動口１４及び遊技者にとって不利な第１状態（遊技球が入賞不能な閉鎖状態）及び遊技者にとって有利な第２状態（遊技球が入賞可能な開放状態）に変化可能な大入賞口１５、及び遊技領域７１に打ち込まれた遊技球が流下する過程において通過可能なスルーチャッカ１７等が配置されている。
【００１５】
また、遊技領域７１の最下部には、図柄始動口１４、大入賞口１５等に入賞しなかった外れ遊技球を遊技盤７の裏面側に排出するアウト口１６が設けられ、また、同じくスルーチャッカ１７の配置部位に対応する箇所には、前後方向へ貫通し、かつ後述の通過球検出センサ１７２の電線１７３が挿通可能な遊技盤通孔７３が穿設されている。
【００１６】
スルーチャッカ１７は、遊技盤７における装飾枠１３の左方に配置されると共に、遊技盤通孔７３の前面周囲を包囲するように固定され、かつ遊技球が上から下に向けて通過可能なゲート１７１と、ゲート１７１を通過する遊技球を磁気的、光学的または電気的手段等により検出する通過球検出センサ１７２とを含む。遊技球の通過を検出した通過球検出センサ１７２の通過電気信号は、セット部材８の裏側に配置され、かつ制御電子機器を実装した電気基板２１に送信される。電気基板２１は、通過電気信号の受信に基づいて、大当たりや小当たりチャンスの権利を発生させる等の抽選を実行する。
【００１７】
通過球検出センサ１７２は、ゲート１７１内に固定されると共に、後部に設けられたコネクタ部１７４に電気的に接続された電線１７３は遊技盤通孔７３を挿通して遊技盤７の後側へ導出される。
【００１８】
装飾部材１８は、遊技盤７における装飾枠１３の左方の裏側、すなわち遊技領域７１における少なくとも通過球検出センサ１７２が取り付けられる領域を含む裏側に固定されることにより、遊技領域７１を遊技盤７の裏側から装飾すると共に、遊技盤７の前面から遊技機１の内部構造が露呈しないように隠蔽する。装飾部材１８には、遊技盤通孔７３に対向し、かつ通過球検出センサ１７２の電線１７３が挿通可能とする後方へ延出する筒状の装飾部材通孔１８１が穿設されている。なお、装飾部材１８の左側端１８２は、遊技盤７の左側端７４に接近する位置まで延出している。
【００１９】
光源基板９は、装飾部材１８の裏側に固定されると共に、装飾部材通孔１８１に対向する箇所には、装飾部材通孔１８１を挿通した通過球検出センサ１７２の電線１７３が挿通可能な基板通孔９２が穿設されている。
【００２０】
光源基板９の前面に実装された複数の光源９１は、遊技状況に応じて点灯、点滅することによって、装飾部材１８に設けた複数の開口部１８３を通して、スルーチャッカ１７の周辺を遊技盤７の裏側から電飾して遊技時の演出効果を高める。
【００２１】
セット部材８は、遊技盤７の演出情報透視窓７２に対応し、かつ表示装置に表示される演出情報２０を視認可能とする正面視ほぼ矩形の開口部８１を有すると共に、開口部８１の左側には、基板通孔９２に後側から遊嵌可能な筒状部８２が設けられている。筒状部８２の内側には、基板通孔９２に対向し、かつ基板通孔９２を挿通した通過球検出センサ１７２の電線１７３が挿通可能なセット部材通孔８３が設けられる。また、セット部材８の後側には、遊技を制御する電気基板２１及びその他の各種電気基板（図示略）が配置される。
【００２２】
セット部材通孔８３を挿通した通過球検出センサ１７２の電線１７３は、セット部材８の後側に導出されて、セット部材８の裏面に配置された電気基板２１またはその他の電気基板に電気的に接続される。
【００２３】
上述のように、本実施形態においては、不透明または半透明の装飾部材１８を、透明部材により形成される遊技盤７における少なくとも通過球検出センサ１７２の配置部位を含む領域の後方の裏側に配置すると共に、光源基板９を装飾部材１８の後側に配置し、さらに、遊技盤７、装飾部材１８、光源基板９及びセット部材８に、遊技盤通孔７３、装飾部材通孔１８１、基板通孔９２及びセット部材通孔８３をそれぞれ設けた構成により、通過球検出センサ１７２の電線１７３を、遊技盤通孔７３、装飾部材通孔１８１、基板通孔９２及びセット部材通孔８３を挿通してセット部材８の後側に導出することができる。セット部材８の後側に導出された電線１７３は、装飾部材１８により明視し難いように隠蔽される光源基板９により隠蔽されて、遊技盤７を透して露呈することがない。よって、通過球検出センサ１７２の電線１７３を見栄え良く配線することができ、遊技領域７１の見栄え向上を図ることができる。
【００２４】
以上、本発明の一実施形態について説明したが、本発明の要旨を逸脱しない範囲内で、本実施形態に対して、次のような変形や変更を施すことが可能である。
装飾部材１８の後側に配置される光源基板９及び／またはセット部材８を省略する。
光源基板９のみを省略した場合は、通過球検出センサ１７２の電線１７３は、装飾部材１８の装飾部材通孔１８１及びセット部材８のセット部材通孔８３を挿通してセット部材８の後側に導出されて、セット部材８の後側に配置される電気基板２１またはその他の電気基板に接続される。
セット部材８のみを省略した場合は、通過球検出センサ１７２の電線１７３は、装飾部材１８の装飾部材通孔１８１及び光源基板９の基板通孔９２を挿通して光源基板９の後側に導出されて、装飾部材１８または遊技盤７の裏側に固定される他の部材に取り付けられる電気基板に接続される。
光源基板９及びセット部材８の両方を省略した場合は、通過球検出センサ１７２の電線１７３は、装飾部材１８の装飾部材通孔１８１を挿通して装飾部材１８の後側に導出されて、装飾部材１８または遊技盤７の裏側に固定される他の部材に取り付けられる電気基板に接続される。
【図面の簡単な説明】
【００２５】
【図１】本発明の一実施形態を適用した弾球遊技機の正面図である。
【図２】遊技盤ユニットの正面図である。
【図３】遊技盤ユニットの分解斜視図である。
【図４】図２におけるIV−IV線拡大断面図である。
【符号の説明】
【００２６】
１  弾球遊技機
２  外枠
３  遊技盤ユニット
４  前扉
５  ハンドル
６  球貯留皿
７  遊技盤
８  セット部材
９  光源基板
１０、１１  ガイドレール
１２  遊技釘
１３  装飾枠
１４  図柄始動口
１５  大入賞口
１６  アウト口
１７  スルーチャッカ
１８  装飾部材
２０  演出情報
２１  電気基板
７１  遊技領域
７２  演出情報透視窓
７３  遊技盤通孔
７４  左側端
８１  開口部
８２  筒状部
８３  セット部材通孔
９１  光源
９２  基板通孔
１７１  ゲート
１７２  通過球検出センサ
１７３  電線
１７４  コネクタ部
１８１  装飾部材通孔
１８２  左側端
１８３  開口部
【図１】
0005179165.tif 000002
【図２】
0005179165.tif 000003
【図３】
0005179165.tif 000004
【図４】
0005179165.tif 000005